(57)【要約】【課題】保存同時印刷中に電源が落ちた場合に、ジョブリセットと同等の操作を容易に行うことができる画像形成装置及び画像形成方法を提供する。【解決手段】保存同時印刷のジョブを受信すると、蓄積処理及び印刷処理が並行して開始される（ステップＳ１）。保存同時印刷中に、電源がoffにされれば、機器としてのデータ処理（印刷処理・蓄積処理）は中断される。電源が再びonにされると（ステップＳ２／Ｙｅｓ）、それまで蓄積中であった文書データを破棄し（ステップＳ３）、印刷を再開せずに中止する（ステップＳ４）。エラーとして「印刷も蓄積もされていないこと」を操作者に通知し、終了する。保存同時印刷中に電源が落ちた場合に、蓄積中のデータを破棄し、印刷をキャンセルしているため、ジョブリセットと同等の操作を容易に行うことができる。【選択図】図５
2007168331.tif 000002
【特許請求の範囲】
【請求項１】
入力されたデータを印刷する画像印刷手段と、
前記画像印刷手段による印刷と同時に、前記入力されたデータを蓄積する記憶手段と、
画像形成装置の電源のon/offを監視する電源監視手段と、を有し、
前記印刷同時蓄積中に、電源が一度offになって再度電源がonになった場合、蓄積中のデータを破棄し、実行中であった印刷処理も再開せずに中止することを特徴とする画像形成装置。
【請求項２】
入力されたデータを印刷する画像印刷手段と、
前記画像印刷手段による印刷と同時に、前記入力されたデータを蓄積する記憶手段と、
画像形成装置の電源のon/offを監視する電源監視手段と、
前記データの蓄積が完了したかどうかを監視する蓄積完了監視手段と、を有し、
前記印刷同時蓄積中に、電源が一度offになって再度電源がonになった場合、蓄積が完了したデータは保持し、実行中であった印刷処理は再開せずに中止することを特徴とする画像形成装置。
【請求項３】
入力されたデータを印刷する画像印刷手段と、
前記画像印刷手段による印刷と同時に、前記入力されたデータを蓄積する記憶手段と、
画像形成装置の電源のon/offを監視する電源監視手段と、
前記データの蓄積が完了したかどうかを監視する蓄積完了監視手段と、
前記印刷同時蓄積中に、電源が一度offになって再度電源がonになった場合、蓄積が完了したデータを保持するか、又は、破棄するかを設定する設定手段と、を有し、
前記印刷同時蓄積中に、電源が一度offになって再度電源がonになった場合、前記設定手段による設定に従い、蓄積データを保持又は破棄し、実行中であった印刷処理を再開せずに中止することを特徴とする画像形成装置。
【請求項４】
入力されたデータを印刷する画像印刷手段と、
前記画像印刷手段による印刷と同時に、前記入力されたデータを蓄積する記憶手段と、
画像形成装置の電源のon/offを監視する電源監視手段と、
前記記憶手段により記憶されているデータ数を監視するデータ数監視手段と、
前記記憶手段により記憶可能なデータ数を制限するデータ数制限手段と、を有し、
前記印刷同時蓄積を開始する際に、すでに前記データ数の制限の限界までデータが保存されている場合、蓄積を行わず、印刷も行わないことを特徴とする画像形成装置。
【請求項５】
入力されたデータを印刷する画像印刷手段と、
前記画像印刷手段による印刷と同時に、前記入力されたデータを蓄積する記憶手段と、
画像形成装置の電源のon/offを監視する電源監視手段と、
前記記憶手段により記憶されているデータ数を監視するデータ数監視手段と、
前記記憶手段により記憶可能なデータ数を制限するデータ数制限手段と、を有し
前記印刷同時蓄積を開始する際に、すでに前記データ数の制限の限界までデータが保存されている場合、蓄積は行わないが、印刷は、指定部数分全て印刷することを特徴とする画像形成装置。
【請求項６】
入力されたデータを印刷する画像印刷手段と、
前記画像印刷手段による印刷と同時に、前記入力されたデータを蓄積する記憶手段と、
画像形成装置の電源のon/offを監視する電源監視手段と、
前記記憶手段により記憶されているデータ数を監視するデータ数監視手段と、
前記記憶手段により記憶可能なデータ数を制限するデータ数制限手段と、
前記印刷同時蓄積を開始する際に、すでに前記データ数の制限の限界まで文書が保存されている場合、指定部数分全て印刷するか、又は、印刷を行わないかを設定する設定手段と、を有し、
前記印刷同時蓄積を開始する際に、すでに前記データ数の制限の限界までデータが保存されている場合、蓄積を行わず、印刷については、前記設定手段による設定に従うことを特徴とする画像形成装置。
【請求項７】
入力されたデータを印刷する画像印刷手段と、
前記画像印刷手段による印刷と同時に、前記入力されたデータを蓄積する記憶手段と、
画像形成装置の電源のon/offを監視する電源監視手段と、
前記記憶手段により記憶できる残り容量を監視する残り容量監視手段と、を有し、
前記印刷同時蓄積中に、前記残り容量が０になった場合、蓄積途中だったデータを破棄し、印刷中の部のみ印刷した後、印刷を中断することを特徴とする画像形成装置。
【請求項８】
入力されたデータを印刷する画像印刷手段と、
前記画像印刷手段による印刷と同時に、前記入力されたデータを蓄積する記憶手段と、
画像形成装置の電源のon/offを監視する電源監視手段と、
前記記憶手段により記憶できる残り容量を監視する残り容量監視手段と、を有し、
前記印刷同時蓄積中に、前記残り容量が０になった場合、蓄積途中だったデータを破棄し、印刷については、指定部数分全て印刷することを特徴とする画像形成装置。
【請求項９】
入力されたデータを印刷する画像印刷手段と、
前記画像印刷手段による印刷と同時に、前記入力されたデータを蓄積する記憶手段と、
画像形成装置の電源のon/offを監視する電源監視手段と、
前記記憶手段により記憶できる残り容量を監視する残り容量監視手段と、を有し、
前記印刷同時蓄積中に、前記残り容量が０になってしまった場合、蓄積途中だったデータを破棄し、印刷はその場で中断することを特徴とする画像形成装置。
【請求項１０】
入力されたデータを印刷する画像印刷手段と、
前記画像印刷手段による印刷と同時に、前記入力されたデータを蓄積する記憶手段と、
画像形成装置の電源のon/offを監視する電源監視手段と、
前記記憶手段により記憶できる残り容量を監視する残り容量監視手段と、
前記印刷同時蓄積中に、前記残り容量が０になった場合、印刷中の部のみ印刷するか、指定部数分全て印刷するか、印刷をその場で中断するか、を設定する設定手段と、を有し、
前記印刷同時蓄積中に、前記残り容量が０になった場合、蓄積途中だったデータを破棄し、印刷については、前記設定手段による設定に従って印刷を行うことを特徴とする画像形成装置。
【請求項１１】
画像形成装置の蓄積、印刷動作情報を通知する出力手段を有することを特徴とする請求項１から１０のいずれか１項に記載の画像形成装置。
【請求項１２】
入力されたデータを印刷する工程と、
前記画像印刷工程による印刷と同時に、前記入力されたデータを蓄積する工程と、
画像形成方法の電源のon/offを監視する工程と、を有し、
前記印刷同時蓄積中に、電源が一度offになって再度電源がonになった場合、蓄積中のデータを破棄し、実行中であった印刷処理も再開せずに中止することを特徴とする画像形成方法。
【請求項１３】
入力されたデータを印刷する工程と、
前記画像印刷工程による印刷と同時に、前記入力されたデータを蓄積する工程と、
画像形成方法の電源のon/offを監視する工程と、
前記データの蓄積が完了したかどうかを監視する工程と、を有し、
前記印刷同時蓄積中に、電源が一度offになって再度電源がonになった場合、蓄積が完了したデータは保持し、実行中であった印刷処理は再開せずに中止することを特徴とする画像形成方法。
【請求項１４】
入力されたデータを印刷する工程と、
前記工程による印刷と同時に、前記入力されたデータを蓄積する工程と、
画像形成方法の電源のon/offを監視する工程と、
前記データの蓄積が完了したかどうかを監視する工程と、
前記印刷同時蓄積中に、電源が一度offになって再度電源がonになった場合、蓄積が完了したデータを保持するか、又は、破棄するかを設定する設定工程と、を有し、
前記印刷同時蓄積中に、電源が一度offになって再度電源がonになった場合、前記設定工程による設定に従い、蓄積データを保持又は破棄し、実行中であった印刷処理を再開せずに中止することを特徴とする画像形成方法。
【請求項１５】
入力されたデータを印刷する工程と、
前記工程による印刷と同時に、前記入力されたデータを蓄積する工程と、
画像形成方法の電源のon/offを監視する工程と、
前記工程により記憶されているデータ数を監視する工程と、
前記工程により記憶可能なデータ数を制限する工程と、を有し、
前記印刷同時蓄積を開始する際に、すでに前記データ数の制限の限界までデータが保存されている場合、蓄積を行わず、印刷も行わないことを特徴とする画像形成方法。
【請求項１６】
入力されたデータを印刷する工程と、
前記工程による印刷と同時に、前記入力されたデータを蓄積する工程と、
画像形成方法の電源のon/offを監視する工程と、
前記工程により記憶されているデータ数を監視する工程と、
前記工程により記憶可能なデータ数を制限する工程と、を有し
前記印刷同時蓄積を開始する際に、すでに前記データ数の制限の限界までデータが保存されている場合、蓄積は行わないが、印刷は、指定部数分全て印刷することを特徴とする画像形成方法。
【請求項１７】
入力されたデータを印刷する工程と、
前記工程による印刷と同時に、前記入力されたデータを蓄積する工程と、
画像形成方法の電源のon/offを監視する工程と、
前記工程により記憶されているデータ数を監視する工程と、
前記工程により記憶可能なデータ数を制限する工程と、
前記印刷同時蓄積を開始する際に、すでに前記データ数の制限の限界まで文書が保存されている場合、指定部数分全て印刷するか、又は、印刷を行わないかを設定する設定工程と、を有し、
前記印刷同時蓄積を開始する際に、すでに前記データ数の制限の限界までデータが保存されている場合、蓄積を行わず、印刷については、前記設定工程による設定に従うことを特徴とする画像形成方法。
【請求項１８】
入力されたデータを印刷する工程と、
前記工程による印刷と同時に、前記入力されたデータを蓄積する工程と、
画像形成方法の電源のon/offを監視する工程と、
前記工程により記憶できる残り容量を監視する工程と、を有し、
前記印刷同時蓄積中に、前記残り容量が０になった場合、蓄積途中だったデータを破棄し、印刷中の部のみ印刷した後、印刷を中断することを特徴とする画像形成方法。
【請求項１９】
入力されたデータを印刷する工程と、
前記工程による印刷と同時に、前記入力されたデータを蓄積する工程と、
画像形成方法の電源のon/offを監視する工程と、
前記工程により記憶できる残り容量を監視する工程と、を有し、
前記印刷同時蓄積中に、前記残り容量が０になった場合、蓄積途中だったデータを破棄し、印刷については、指定部数分全て印刷することを特徴とする画像形成方法。
【請求項２０】
入力されたデータを印刷する工程と、
前記工程による印刷と同時に、前記入力されたデータを蓄積する工程と、
画像形成方法の電源のon/offを監視する工程と、
前記工程により記憶できる残り容量を監視する工程と、を有し、
前記印刷同時蓄積中に、前記残り容量が０になってしまった場合、蓄積途中だったデータを破棄し、印刷はその場で中断することを特徴とする画像形成方法。
【請求項２１】
入力されたデータを印刷する工程と、
前記工程による印刷と同時に、前記入力されたデータを蓄積する工程と、
画像形成方法の電源のon/offを監視する工程と、
前記工程により記憶できる残り容量を監視する工程と、
前記印刷同時蓄積中に、前記残り容量が０になった場合、印刷中の部のみ印刷するか、指定部数分全て印刷するか、印刷をその場で中断するか、を設定する設定工程と、を有し、
前記印刷同時蓄積中に、前記残り容量が０になった場合、蓄積途中だったデータを破棄し、印刷については、前記設定工程による設定に従って印刷を行うことを特徴とする画像形成方法。
【請求項２２】
画像形成装置の蓄積、印刷動作情報を通知する工程を有することを特徴とする請求項１２から２１のいずれか１項に記載の画像形成方法。
【発明の詳細な説明】
【技術分野】
【０００１】
本発明は、画像形成装置及び画像形成方法に関し、特に、文書の印刷・蓄積を同時に行う機能を備える画像形成装置及び画像形成方法に関する。
【背景技術】
【０００２】
複合機やプリンターなどの画像形成装置において、装置内に文書データを保存し、それらのデータを用いて印刷を行う、といった使われ方が一般的になってきている。
【０００３】
例えば、試し印刷の技術が提案されている（特許文献１参照）。試し印刷技術は、文書データ等の印刷の確認を行うため、本印刷の前に一部を試し印刷すると同時に一時的に文書データを装置内に蓄積する。試し印刷の結果、一部目に不具合が発見されると、ユーザはそれに対応し印刷条件等の変更修正を行い、本印刷が行なうことができ、再印刷時の利便性の向上を目的とする。
【特許文献１】特開２００２−１２７５７０号公報
【発明の開示】
【発明が解決しようとする課題】
【０００４】
しかしながら、上記技術は、あくまでも出力の確認を行うために本印刷の前に一時的に文書データを装置内に蓄積することが目的であって、恒久的な保存を目的としたものではない。すなわち、保存されたデータについて継続利用することを想定したものではない。
【０００５】
また、上記技術では、一部目の印刷時に何らかの理由で蓄積あるいは印刷が行えなかった場合、蓄積も印刷もキャンセルされてしまう。
【０００６】
本発明はこのような状況に鑑みてなされたものであり、作成した文書データを、印刷を行うと同時に装置内にも蓄積したいといったニーズに応えるため、一部目の蓄積、印刷が失敗した場合の挙動について提案し、ユーザの利便性をさらに向上させることを目的としている。
【課題を解決するための手段】
【０００７】
請求項１に記載の発明は、入力されたデータを印刷する画像印刷手段と、前記画像印刷手段による印刷と同時に、前記入力されたデータを蓄積する記憶手段と、画像形成装置の電源のon/offを監視する電源監視手段と、を有し、前記印刷同時蓄積中に、電源が一度offになって再度電源がonになった場合、蓄積中のデータを破棄し、実行中であった印刷処理も再開せずに中止することを特徴とする画像形成装置である。
【０００８】
請求項２に記載の発明は、入力されたデータを印刷する画像印刷手段と、前記画像印刷手段による印刷と同時に、前記入力されたデータを蓄積する記憶手段と、画像形成装置の電源のon/offを監視する電源監視手段と、前記データの蓄積が完了したかどうかを監視する蓄積完了監視手段と、を有し、前記印刷同時蓄積中に、電源が一度offになって再度電源がonになった場合、蓄積が完了したデータは保持し、実行中であった印刷処理は再開せずに中止することを特徴とする画像形成装置である。
【０００９】
請求項３に記載の発明は、入力されたデータを印刷する画像印刷手段と、前記画像印刷手段による印刷と同時に、前記入力されたデータを蓄積する記憶手段と、画像形成装置の電源のon/offを監視する電源監視手段と、前記データの蓄積が完了したかどうかを監視する蓄積完了監視手段と、前記印刷同時蓄積中に、電源が一度offになって再度電源がonになった場合、蓄積が完了したデータを保持するか、又は、破棄するかを設定する設定手段と、を有し、前記印刷同時蓄積中に、電源が一度offになって再度電源がonになった場合、前記設定手段による設定に従い、蓄積データを保持又は破棄し、実行中であった印刷処理を再開せずに中止することを特徴とする画像形成装置である。
【００１０】
請求項４に記載の発明は、入力されたデータを印刷する画像印刷手段と、前記画像印刷手段による印刷と同時に、前記入力されたデータを蓄積する記憶手段と、画像形成装置の電源のon/offを監視する電源監視手段と、前記記憶手段により記憶されているデータ数を監視するデータ数監視手段と、前記記憶手段により記憶可能なデータ数を制限するデータ数制限手段と、を有し、前記印刷同時蓄積を開始する際に、すでに前記データ数の制限の限界までデータが保存されている場合、蓄積を行わず、印刷も行わないことを特徴とする画像形成装置である。
【００１１】
請求項５に記載の発明は、入力されたデータを印刷する画像印刷手段と、前記画像印刷手段による印刷と同時に、前記入力されたデータを蓄積する記憶手段と、画像形成装置の電源のon/offを監視する電源監視手段と、前記記憶手段により記憶されているデータ数を監視するデータ数監視手段と、前記記憶手段により記憶可能なデータ数を制限するデータ数制限手段と、を有し前記印刷同時蓄積を開始する際に、すでに前記データ数の制限の限界までデータが保存されている場合、蓄積は行わないが、印刷は、指定部数分全て印刷することを特徴とする画像形成装置である。
【００１２】
請求項６に記載の発明は、入力されたデータを印刷する画像印刷手段と、前記画像印刷手段による印刷と同時に、前記入力されたデータを蓄積する記憶手段と、画像形成装置の電源のon/offを監視する電源監視手段と、前記記憶手段により記憶されているデータ数を監視するデータ数監視手段と、前記記憶手段により記憶可能なデータ数を制限するデータ数制限手段と、前記印刷同時蓄積を開始する際に、すでに前記データ数の制限の限界まで文書が保存されている場合、指定部数分全て印刷するか、又は、印刷を行わないかを設定する設定手段と、を有し、前記印刷同時蓄積を開始する際に、すでに前記データ数の制限の限界までデータが保存されている場合、蓄積を行わず、印刷については、前記設定手段による設定に従うことを特徴とする画像形成装置である。
【００１３】
請求項７に記載の発明は、入力されたデータを印刷する画像印刷手段と、前記画像印刷手段による印刷と同時に、前記入力されたデータを蓄積する記憶手段と、画像形成装置の電源のon/offを監視する電源監視手段と、前記記憶手段により記憶できる残り容量を監視する残り容量監視手段と、を有し、前記印刷同時蓄積中に、前記残り容量が０になった場合、蓄積途中だったデータを破棄し、印刷中の部のみ印刷した後、印刷を中断することを特徴とする画像形成装置である。
【００１４】
請求項８に記載の発明は、入力されたデータを印刷する画像印刷手段と、前記画像印刷手段による印刷と同時に、前記入力されたデータを蓄積する記憶手段と、画像形成装置の電源のon/offを監視する電源監視手段と、前記記憶手段により記憶できる残り容量を監視する残り容量監視手段と、を有し、前記印刷同時蓄積中に、前記残り容量が０になった場合、蓄積途中だったデータを破棄し、印刷については、指定部数分全て印刷することを特徴とする画像形成装置である。
【００１５】
請求項９に記載の発明は、入力されたデータを印刷する画像印刷手段と、前記画像印刷手段による印刷と同時に、前記入力されたデータを蓄積する記憶手段と、画像形成装置の電源のon/offを監視する電源監視手段と、前記記憶手段により記憶できる残り容量を監視する残り容量監視手段と、を有し、前記印刷同時蓄積中に、前記残り容量が０になってしまった場合、蓄積途中だったデータを破棄し、印刷はその場で中断することを特徴とする画像形成装置である。
【００１６】
請求項１０に記載の発明は、入力されたデータを印刷する画像印刷手段と、前記画像印刷手段による印刷と同時に、前記入力されたデータを蓄積する記憶手段と、画像形成装置の電源のon/offを監視する電源監視手段と、前記記憶手段により記憶できる残り容量を監視する残り容量監視手段と、前記印刷同時蓄積中に、前記残り容量が０になった場合、印刷中の部のみ印刷するか、指定部数分全て印刷するか、印刷をその場で中断するか、を設定する設定手段と、を有し、前記印刷同時蓄積中に、前記残り容量が０になった場合、蓄積途中だったデータを破棄し、印刷については、前記設定手段による設定に従って印刷を行うことを特徴とする画像形成装置である。
【００１７】
請求項１１に記載の発明は、請求項１から１０のいずれか１項に記載の装置において、画像形成装置の蓄積、印刷動作情報を通知する出力手段を有することを特徴とする。
【００１８】
請求項１２に記載の発明は、入力されたデータを印刷する工程と、前記画像印刷工程による印刷と同時に、前記入力されたデータを蓄積する工程と、画像形成方法の電源のon/offを監視する工程と、を有し、前記印刷同時蓄積中に、電源が一度offになって再度電源がonになった場合、蓄積中のデータを破棄し、実行中であった印刷処理も再開せずに中止することを特徴とする画像形成方法である。
【００１９】
請求項１３に記載の発明は、入力されたデータを印刷する工程と、前記画像印刷工程による印刷と同時に、前記入力されたデータを蓄積する工程と、画像形成方法の電源のon/offを監視する工程と、前記データの蓄積が完了したかどうかを監視する工程と、を有し、前記印刷同時蓄積中に、電源が一度offになって再度電源がonになった場合、蓄積が完了したデータは保持し、実行中であった印刷処理は再開せずに中止することを特徴とする画像形成方法である。
【００２０】
請求項１４に記載の発明は、入力されたデータを印刷する工程と、前記工程による印刷と同時に、前記入力されたデータを蓄積する工程と、画像形成方法の電源のon/offを監視する工程と、前記データの蓄積が完了したかどうかを監視する工程と、前記印刷同時蓄積中に、電源が一度offになって再度電源がonになった場合、蓄積が完了したデータを保持するか、又は、破棄するかを設定する設定工程と、を有し、前記印刷同時蓄積中に、電源が一度offになって再度電源がonになった場合、前記設定工程による設定に従い、蓄積データを保持又は破棄し、実行中であった印刷処理を再開せずに中止することを特徴とする画像形成方法である。
【００２１】
請求項１５に記載の発明は、入力されたデータを印刷する工程と、前記工程による印刷と同時に、前記入力されたデータを蓄積する工程と、画像形成方法の電源のon/offを監視する工程と、前記工程により記憶されているデータ数を監視する工程と、前記工程により記憶可能なデータ数を制限する工程と、を有し、前記印刷同時蓄積を開始する際に、すでに前記データ数の制限の限界までデータが保存されている場合、蓄積を行わず、印刷も行わないことを特徴とする画像形成方法である。
【００２２】
請求項１６に記載の発明は、入力されたデータを印刷する工程と、前記工程による印刷と同時に、前記入力されたデータを蓄積する工程と、画像形成方法の電源のon/offを監視する工程と、前記工程により記憶されているデータ数を監視する工程と、前記工程により記憶可能なデータ数を制限する工程と、を有し前記印刷同時蓄積を開始する際に、すでに前記データ数の制限の限界までデータが保存されている場合、蓄積は行わないが、印刷は、指定部数分全て印刷することを特徴とする画像形成方法である。
【００２３】
請求項１７に記載の発明は、入力されたデータを印刷する工程と、前記工程による印刷と同時に、前記入力されたデータを蓄積する工程と、画像形成方法の電源のon/offを監視する工程と、前記工程により記憶されているデータ数を監視する工程と、前記工程により記憶可能なデータ数を制限する工程と、前記印刷同時蓄積を開始する際に、すでに前記データ数の制限の限界まで文書が保存されている場合、指定部数分全て印刷するか、又は、印刷を行わないかを設定する設定工程と、を有し、前記印刷同時蓄積を開始する際に、すでに前記データ数の制限の限界までデータが保存されている場合、蓄積を行わず、印刷については、前記設定工程による設定に従うことを特徴とする画像形成方法である。
【００２４】
請求項１８に記載の発明は、入力されたデータを印刷する工程と、前記工程による印刷と同時に、前記入力されたデータを蓄積する工程と、画像形成方法の電源のon/offを監視する工程と、前記工程により記憶できる残り容量を監視する工程と、を有し、前記印刷同時蓄積中に、前記残り容量が０になった場合、蓄積途中だったデータを破棄し、印刷中の部のみ印刷した後、印刷を中断することを特徴とする画像形成方法である。
【００２５】
請求項１９に記載の発明は、入力されたデータを印刷する工程と、前記工程による印刷と同時に、前記入力されたデータを蓄積する工程と、画像形成方法の電源のon/offを監視する工程と、前記工程により記憶できる残り容量を監視する工程と、を有し、前記印刷同時蓄積中に、前記残り容量が０になった場合、蓄積途中だったデータを破棄し、印刷については、指定部数分全て印刷することを特徴とする画像形成方法である。
【００２６】
請求項２０に記載の発明は、入力されたデータを印刷する工程と、前記工程による印刷と同時に、前記入力されたデータを蓄積する工程と、画像形成方法の電源のon/offを監視する工程と、前記工程により記憶できる残り容量を監視する工程と、を有し、前記印刷同時蓄積中に、前記残り容量が０になってしまった場合、蓄積途中だったデータを破棄し、印刷はその場で中断することを特徴とする画像形成方法である。
【００２７】
請求項２１に記載の発明は、入力されたデータを印刷する工程と、前記工程による印刷と同時に、前記入力されたデータを蓄積する工程と、画像形成方法の電源のon/offを監視する工程と、前記工程により記憶できる残り容量を監視する工程と、前記印刷同時蓄積中に、前記残り容量が０になった場合、印刷中の部のみ印刷するか、指定部数分全て印刷するか、印刷をその場で中断するか、を設定する設定工程と、を有し、前記印刷同時蓄積中に、前記残り容量が０になった場合、蓄積途中だったデータを破棄し、印刷については、前記設定工程による設定に従って印刷を行うことを特徴とする画像形成方法である。
【００２８】
請求項２２に記載の発明は、請求項１２から２１のいずれか１項に記載の方法において、画像形成装置の蓄積、印刷動作情報を通知する工程を有することを特徴とする。
【発明の効果】
【００２９】
本発明によれば、データの蓄積同時印刷中に、画像形成装置の電源が落ちた場合に、ユーザは、ジョブリセットと同等の操作を容易に行うことができる。
【発明を実施するための最良の形態】
【００３０】
以下に、本発明の実施形態に係る画像形成装置及び画像形成方法を、図面を用いて詳細に説明する。なお、以下に述べる実施の形態は、本発明の好適な実施の形態であるから、技術的に好ましい種種の限定が付されているが、本発明の範囲は、以下の説明において特に本発明を限定する旨の記載がない限り、これらの態様に限られるものではない。
【００３１】
図１は、本発明の各実施形態に係る画像形成装置の構成を全てまとめたブロック構成図である。ネットワーク２５（図２）と接続するネットワークインターフェイス１、ＣＰＵ２、画像形成装置の制御プログラムを保存するための記憶部３（例えば、ROM）、印刷データを蓄積するための不揮発性メモリ（たとえばＨＤＤ）である記憶部４、文書データの蓄積状況を監視する手段である文書蓄積状況監視部５、印刷状況を監視する手段である印刷状況監視部６、印刷エンジンインターフェイス８、印刷エンジン９、操作者が指示を行うための入力手段であるオペレーションパネル１１、オペレーションパネル１１と接続するオペレーションパネルインターフェイス１０、ネットワークインターフェイス１により受信した印刷データを処理するための記憶部（作業用メモリ、RAM等の書換え可能なメモリ）１２、記憶媒体１４、記憶媒体１４と接続する記憶媒体ドライブインターフェイス１３、電源のON/OFFを監視する手段である電源監視部１５、文書管理部１６、メモリ容量監視部１７と、これらをつなぐ内部バス７から構成されている。
【００３２】
図２は、本発明の実施形態に係る画像形成装置が、情報処理装置と接続されている状態を示す図である。ネットワーク２５を通じて複数の情報処理装置（印刷要求元コンピュータ）２０〜２２と画像形成装置２３、２４が接続されている。
【００３３】
本発明の実施形態について説明する。本実施形態に係る画像形成装置は、印刷及び蓄積の中止処理を行うために、電源のon/offを監視する手段として、電源監視部１５を有する。電源監視部１５は、たとえば、電源電圧の低下を検知して電源遮断中も保持する必要のあるデータを不揮発性メモリ（図１、記憶部４）に書き込み、印刷中に電源の遮断があったことを表すパラメータを保持しておくといったことが考えられる。また、エラーを操作者に通知する手段を有する。かかる手段としては、例えば、図３に示すように、オペレーションパネル１１上に表示することが考え得る。また、図４に示すように、本実施形態に係る画像形成装置２６が、ホストPCである印刷データ送出元コンピュータ２７に、エラー内容２８を送信する手段も考え得る。
【００３４】
図５は、本実施形態に係る画像形成装置の動作処理のフローチャートである。保存同時印刷のジョブを受信すると、蓄積処理及び印刷処理が並行して開始される（ステップＳ１）。保存同時印刷中に、電源がoffにされれば、機器としてのデータ処理（印刷処理・蓄積処理）は中断される。その後、電源が再びonにされると（ステップＳ２／Ｙｅｓ）、それまで蓄積中であった文書データを破棄し（ステップＳ３）、印刷を再開せずに中止する（ステップＳ４）。エラーとして「印刷も蓄積もされていないこと」を操作者に通知し、終了する。
【００３５】
上記実施形態により、操作者は、ジョブリセットと同等の操作を容易に行うことができるようになる。すなわち、本実施形態に係る画像形成装置では、保存同時印刷中に電源が落ちた場合に、蓄積中のデータを破棄し、印刷をキャンセルしているため、例えば、ユーザが誤ったデータを送信し、早急にジョブリセットしたい場合に、容易に印刷・蓄積をキャンセルできる。また、エラー通知がなされるので、ユーザは保存同時印刷が失敗したことを容易に理解できる。
【００３６】
本発明に係る他の実施形態について説明する。上記実施形態と同様に、電源のon/offを監視する手段及びエラーを操作者に通知する手段を有する。さらに、蓄積処理が完了したかどうかを判断する手段をもつ。判断する手段としては蓄積の進行状況を直接監視する文書蓄積状況監視部５を持つ、あるいは印刷の進行状況を監視する印刷状況監視部６を持ちそこから蓄積の完了を判断する、などが考えられる。
【００３７】
蓄積状況を監視する手段としては、蓄積が完了した時点で、完了を意味するフラグとしてパラメータを保存し、電源off/on後の再開時にそのフラグを見ることで判断する。印刷状況を監視する手段としては、現在何部目のどこまで印刷しているかというパラメータを保存し、電源off/on後の再開時にそのパラメータをみて、1部の印刷が終了していれば蓄積完了とする。前者のように、蓄積完了を意味するパラメータを用意すれば、蓄積が完了したかどうかの判断が正確であるし、後者のように、印刷状況から監視すれば、操作者にも、蓄積が完了したかどうかがわかりやすいというメリットがある。
【００３８】
図６は、本実施形態に係る画像形成装置の動作処理を示すフローチャートである。保存同時印刷のジョブを受信すると、蓄積処理及び印刷処理が並行して開始される（ステップＳ６）。保存同時印刷中に、電源がoffにされると、機器としてのデータ処理（印刷処理・蓄積処理）は中断される。その後、電源が再びonにされると（ステップＳ７／Ｙｅｓ）、蓄積処理が完了しているかどうかを判断する（ステップＳ８）。その際、完了していれば（ステップＳ８／Ｙｅｓ）、文書データはそのまま保存し（ステップＳ１２）、未完了であれば（ステップＳ８／Ｎｏ）、蓄積途中であった文書データを破棄する（ステップＳ９）。蓄積処理が完了しているといないとに関わらず、印刷処理は再開されずに中止する（ステップＳ１０、１３）。蓄積処理が完了していたかどうかに従って、エラーとして「印刷は中止したが蓄積はされたこと」あるいは「印刷も蓄積もされなかったこと」を操作者に通知し（ステップＳ１１、１４）、終了する。
【００３９】
上記実施形態により、操作者は、蓄積が行われていれば、必要であれば蓄積された文書データを元に、容易に所望の印刷を再開することができるようになる。すなわち、本実施形態に係る画像形成装置では、保存同時印刷中に電源が落ちた場合に、蓄積が完了していれば蓄積済みの文書データはそのまま保存される。これにより、停電などの不慮の事故で電源が落ちた場合等にも、蓄積さえされていればユーザの所望の条件で容易に再印刷することが出来る。
【００４０】
本発明に係る他の実施形態について説明する。上記実施形態と同様に、電源のon/offを監視する手段及びエラーを操作者に通知する手段、蓄積処理が完了したかどうかを判断する手段を有する。さらに、本実施形態では、蓄積処理が完了していた場合に、文書を保持するか、破棄するかという動作モードを設定する手段を有する。
【００４１】
動作モード設定手段では、例えば、あらかじめ機器の操作部（オペレーションパネル１１）上から動作モードを設定しておく方法が考え得る。あるいは、図７に示すように、操作者（印刷データ送出元コンピュータ３０）が印刷ジョブを機器（画像形成装置３１）に送信する際に、印刷データ本体３２に、動作モードの設定を決定するパラメータ３３を付与する方法等が考えられる。あらかじめ操作部上から動作モードを設定しておけば、ジョブ送信毎に操作者が動作モードを設定する手間が省けるし、ジョブ送信時に設定するのであれば、動作モードを柔軟に切り替えることが出来るメリットがある。
【００４２】
図８は、本実施形態に係る画像形成装置の動作処理を示すフローチャートである。保存同時印刷のジョブを受信すると、蓄積処理及び印刷処理が並行して開始する（ステップＳ１５）。保存同時印刷中に、電源がoffにされれば、機器としてのデータ処理（印刷処理・蓄積処理）は中断される。その後、電源が再びonにされると（ステップＳ１６）、蓄積処理が完了しているかどうかを判断する（ステップＳ１７）。蓄積処理が完了していれば（ステップＳ１７／Ｙｅｓ）、更に、設定された動作モードを判断する（ステップＳ２１）。その際、蓄積処理が完了してなかった（ステップＳ１７／Ｎｏ）、あるいは動作モードが蓄積破棄モードであれば（ステップＳ２１）、蓄積中であった文書データを破棄する（ステップＳ１８）。蓄積処理が完了していて、なおかつ動作モードが蓄積実行モードであれば、文書データはそのまま保存される（ステップＳ２２）。前記二条件（ステップＳ１７、２１）に関わらず、印刷処理は再開されずに中止する（ステップＳ１９、２３）。文書データが破棄されずに保存されたかどうかに従って、エラーとして「印刷は中止したが蓄積はされたこと」（ステップＳ２４）あるいは「印刷も蓄積もされなかったこと」（ステップＳ２０）を操作者に通知し、終了する。
【００４３】
上記実施形態により、操作者は、動作モードを蓄積キャンセルモードに設定しておけば、ジョブリセットと同等の操作を容易に行うことができる。この場合、自己の意思でジョブリセットの代替として電源をoff/onすることが多い時にメリットがある。動作モードを蓄積実行モードにしておけば、不慮の停電等で印刷処理が中止されてしまっても、蓄積が行われていれば、蓄積された文書データを元に、容易に所望の印刷を再開することができるようになる。
【００４４】
本発明の他の実施形態について説明する。上記実施形態と同様に、エラーを操作者に通知する手段を有する。さらに、本実施形態に係る画像形成装置は、蓄積処理の実行可否を判断するために、画像形成装置内に保存されている文書数を監視する手段及びその数の最大数を制限する手段として、文書管理部１６（図１）を有する。
【００４５】
図９は、本実施形態に係る画像形成装置の動作処理を示すフローチャートである。保存同時印刷のジョブを受信すると、まず、装置内にすでに保存されている文書数及びあらかじめ設定された保存可能な文書数の限界を確認する（ステップＳ２５）。その際、保存できる文書数にまだ余裕があれば（ステップＳ２５／Ｙｅｓ）、保存同時印刷を開始する（ステップＳ２６）。逆に、保存可能な文書数の最大値まですでに文書が保存されている場合は（ステップＳ２５／Ｎｏ）、蓄積処理は行わず、印刷も行わず、エラーとして「保存可能な最大文書数に達しているため保存同時印刷は開始せずに終了したこと」を操作者に通知する（ステップＳ２７）。
【００４６】
上記実施形態により、操作者は、蓄積の失敗した文書を出力することがなく、紙資源を節約することができる。すなわち、保存文書数が最大で蓄積が行えない場合に、印刷を中止するため、蓄積の失敗した文書を出力することがなく、紙資源を節約することができるようになる。また、エラーが通知されるので、保存同時印刷が失敗したことをユーザは容易に理解できる。
【００４７】
本発明の他の実施形態について説明する。上記実施形態と同様に、画像形成装置内に保存されている文書数を監視する手段及びその数の最大数を制限する手段及びエラーを操作者に通知する手段を有する。
【００４８】
図１０、本実施形態に係る画像形成装置の動作処理を示すフローチャートである。保存同時印刷のジョブを受信すると、まず、装置内にすでに保存されている文書数及びあらかじめ設定された保存可能な文書数の限界を確認する（ステップＳ３０）。その際、保存できる文書数にまだ余裕があれば（ステップＳ３０／Ｙｅｓ）、保存同時印刷を開始する（ステップＳ３１）。逆に、保存可能な文書数の最大値まですでに文書が保存されている場合は（ステップＳ３０／Ｎｏ）、蓄積処理は行わず、印刷は指定部数分全て行う（ステップＳ３２）。エラーとして「指定通り印刷はされたが、保存可能な最大文書数に達しているため蓄積はされなかったこと」を操作者に通知する（ステップＳ３３）。
【００４９】
上記実施形態により、操作者は、保存文書数が最大で蓄積が行えない場合でも、印刷は実行するので、所望の出力を得ることができる。
【００５０】
本発明の他の実施形態について説明する。上記実施形態と同様に、画像形成装置内に保存されている文書数を監視する手段及びその数の最大数を制限する手段（図１、文書管理部１６）及びエラーを操作者に通知する手段（例えば、図１のオペレーションパネル１１）を有する。さらに、本実施形態では、保存文書数が最大数に達していた場合に、印刷だけでも行うか、印刷も中止するかという動作モードを設定する手段を有する。具体的には、あらかじめ機器の操作部上から前記動作モードを設定しておくか、エラーが発生した時点で操作部上にそれを通知し、操作者が動作モードを決定する（図１１参照）などが考えられる。あらかじめ設定を行う手段としては、操作部（図１、オペレーションパネル１１）のメニュー項目に、設定を行うための項目を用意し、操作者が自ら好きな時に該当項目を操作部から選択・設定変更することもできる。あらかじめ操作部上から動作モードを設定しておけば、エラーが発生するたびに操作者が動作モードを設定する手間は省け、その都度動作モードを設定するのであれば、動作モードを柔軟に切り替えることが出来るメリットがある。
【００５１】
上記動作モードの設定の仕方において、あらかじめモードを設定する場合の動作処理を、図１２のフローチャートに示す。保存同時印刷のジョブを受信すると、まず、装置内にすでに保存されている文書数及び保存可能な文書数の限界を確認する（ステップＳ３５）。その際、保存できる文書数にまだ余裕があれば（ステップＳ３５／Ｙｅｓ）、保存同時印刷を開始する（ステップＳ３６）。逆に、保存可能な文書数の最大値まですでに文書が保存されている場合は（ステップＳ３５／Ｎｏ）、動作モードの確認を行う（ステップＳ３７）。その際、動作モードが印刷実行モードであれば、蓄積はされずに指定部数分全ての印刷のみ実行される（ステップＳ３９）。動作モードが印刷中止モードであれば、蓄積も印刷もされない。印刷が行われたかどうかに従って、エラーとして「蓄積はされなかったが、印刷はされたこと」（ステップＳ４０）、「蓄積も印刷もされなかったこと」（ステップＳ３８）を操作者に通知し、終了する。
【００５２】
上記実施形態により、操作者は、印刷を中止するよう設定してあれば紙資源を節約できるし、印刷を実行するよう設定してあれば、蓄積はできずとも所望の出力をえることができる。保存文書数が最大で蓄積が行えない場合の挙動をユーザが設定できるため、ユーザは印刷を中止するよう設定すれば紙資源を節約でき、印刷を実行するよう設定してあれば、蓄積はできずとも所望の出力をえることが出来るようになる。
【００５３】
次に、上記動作モードの設定の仕方において、エラーが発生した時点で操作部上にそれを通知し、操作者が動作モードを決定する場合の動作処理を示すフローチャートを図１３に示す。保存同時印刷のジョブを受信すると、まず、装置内にすでに保存されている文書数及び保存可能な文書数の限界を確認する（ステップＳ４１）。その際、保存できる文書数にまだ余裕があれば（ステップＳ４１／Ｙｅｓ）、保存同時印刷を開始する（ステップＳ４２）。逆に、保存可能な文書数の最大値まですでに文書が保存されている場合は（ステップＳ４１／Ｎｏ）、文書数がいっぱいで蓄積ができないことを操作者に通知し（ステップＳ４３）、動作モードの入力を受け付ける（ステップＳ４４）。その際、動作モードが印刷実行モードであれば（ステップＳ４５）、蓄積はされずに指定部数分全ての印刷のみ実行される（ステップＳ４７）。動作モードが印刷中止モードであれば、蓄積も印刷もされない。印刷が行われたかどうかに従って、エラーとして「蓄積はされなかったが、印刷はされたこと」（ステップＳ４８）、「蓄積も印刷もされなかったこと」（ステップＳ４６）を操作者に通知し、終了する。
【００５４】
上記実施形態により、操作者は、印刷を中止するよう設定してあれば紙資源を節約でき、印刷を実行するよう設定してあれば、蓄積はできずとも所望の出力をえることができる。
【００５５】
本発明の他の実施形態について説明する。上記実施形態と同様に、エラーを操作者に通知する手段を有する。さらに、本実施形態は、蓄積処理の実行可否を判断するために、文書データ保存のために利用可能な記憶部（不揮発性メモリ）４の残り容量を監視する手段（図１、メモリ容量監視部１７）を有する。
【００５６】
図１４は、本実施形態に係る画像形成装置の動作処理を示すフローチャートである。保存同時印刷のジョブを受信すると、蓄積処理及び印刷処理が並行して開始する（ステップＳ５０）。保存同時印刷中に、利用可能な記憶部（不揮発性メモリ）４の残り容量が０になってしまうと（ステップＳ５１／Ｙｅｓ）、それまで蓄積していた文書データを破棄し（ステップＳ５２）、印刷中の部のみ印刷を行い、それ以降の部は印刷せずに処理を中止する（ステップＳ５３）。エラーとして「残り容量がなくなったため蓄積は失敗し、印刷も途中で中断したこと」を操作者に通知し（ステップＳ５４）、終了する。
【００５７】
上記実施形態により、保存同時印刷中に記憶部（保存用の不揮発性メモリ）４の空き容量が不足した場合に、蓄積中のデータを破棄し、印刷中の部のみ印刷して残りの部は印刷しないので、操作者は、中途半端に出力された紙を手にすることがなく、紙資源を節約することができる。
【００５８】
本発明に係る他の実施形態について説明する。上記実施形態と同様に、記憶部（不揮発性メモリ）４の残り容量を監視する手段（図１、メモリ容量監視部１７）及びエラーを操作者に通知する手段（例えば、オペレーションパネル１１）を有する。
【００５９】
図１５は、本実施形態に係る画像形成装置の動作処理を示すフローチャートである。保存同時印刷のジョブを受信すると、蓄積処理及び印刷処理が並行して開始される（ステップＳ５５）。保存同時印刷中に、利用可能な記憶部（不揮発性メモリ）４の残り容量が０になってしまうと（ステップＳ５６／Ｙｅｓ）、それまで蓄積していた文書データを破棄し（ステップＳ５７）、印刷は指定部数分全て行う（ステップＳ５８）。エラーとして「残り容量がなくなったため蓄積は失敗し、印刷も途中で中断したこと」を操作者に通知し（ステップＳ５９）、終了する。
【００６０】
上記実施形態により、保存同時印刷中に記憶部（保存用の不揮発性メモリ）４の空き容量が不足した場合に、蓄積中のデータを破棄し、印刷は最後の部まで実行するので、操作者は、蓄積はできずとも、所望の出力を得ることができる。
【００６１】
本発明に係る他の実施形態について説明する。上記実施形態と同様に、記憶部（不揮発性メモリ）４の残り容量を監視する手段（図１、メモリ容量監視部１７）及びエラーを操作者に通知する手段（例えば、オペレーションパネル１１）を有する。
【００６２】
図１６は、本実施形態に係る画像形成装置の動作処理を示すフローチャートである。保存同時印刷のジョブを受信すると、蓄積処理及び印刷処理が並行して開始される（ステップＳ６０）。保存同時印刷中に、利用可能な記憶部（不揮発性メモリ）４の残り容量が０になってしまうと（ステップＳ６１／Ｙｅｓ）、それまで蓄積していた文書データを破棄し（ステップＳ６２）、印刷をその場で中断する（ステップＳ６３）。エラーとして「残り容量がなくなったため蓄積は失敗し、印刷も途中で中断したこと」を操作者に通知し（ステップＳ６４）、終了する。
【００６３】
上記実施形態により、保存同時印刷中に記憶部（保存用の不揮発性メモリ）４の空き容量が不足した場合に、蓄積中のデータを破棄し、印刷もその場で中断するので、操作者は、蓄積の失敗した文書を不必要に出力することがなく、さらに紙資源を節約することができる。
【００６４】
本発明に係る他の実施形態について説明する。上記実施形態と同様に、記憶部（不揮発性メモリ）４の残り容量を監視する手段（図１、メモリ容量監視部１７）及びエラーを操作者に通知する手段（例えば、オペレーションパネル１１）を有する。さらに、本実施形態は、記憶部（不揮発性メモリ）４の残り容量が不足した場合に、印刷だけでも行うか、印刷も中止するか、印刷継続中の部のみ印刷して中断するか、という動作モードを設定する手段を有する。具体的には、あらかじめ機器の操作部上から前記動作モードを設定しておくか、エラーが発生した時点で操作部上にそれを通知し、操作者が動作モードを決定する(図１７参照)、などが考えられる。あらかじめ操作部上から動作モードを設定しておけば、エラーが発生するたびに操作者が動作モードを設定する手間は省け、その都度動作モードを設定するのであれば、動作モードを柔軟に切り替えることが出来るメリットがある。
【００６５】
前記動作モードの設定の仕方において、あらかじめモードを設定する場合の処理を図１８のフローチャートに示す。保存同時印刷のジョブを受信すると、蓄積処理及び印刷処理が並行して開始される（ステップＳ６５）。保存同時印刷中に、利用可能な記憶部（不揮発性メモリ）４の残り容量が０になってしまうと（ステップＳ６６／Ｙｅｓ）、それまで蓄積していた文書データを破棄する（ステップＳ６７）。その際、設定されていた動作モードを判断する（ステップＳ６８）。動作モードが「印刷実行モード」であれば、指定部数分全て印刷する（ステップＳ７１）。動作モードが「一部のみ印刷モード」であれば、印刷中だった部のみ印刷し、残りの部は印刷しない（ステップＳ６９）。動作モードが「印刷中止モード」であれば、その場で印刷処理も中断する（ステップＳ７３）。印刷が行われたかどうかに従って、エラーとして「蓄積はされなかったが、印刷は最後までされたこと」（ステップＳ７２）、「蓄積はされず、印刷も途中で中断されたこと」（ステップＳ７０、７４）を操作者に通知し、終了する。
【００６６】
上記実施形態により、操作者は、印刷は実行するよう設定してあれば、蓄積はできずとも所望の出力を得ることができる。印刷中の部のみ印刷するよう設定してあれば、半端な出力を手にすることなく紙資源を節約できる。その場で印刷を中止するよう設定してあれば、さらに多くの紙資源を節約出来るようになる。
【００６７】
次に、上記動作モードの設定の仕方において、エラーが発生した時点で操作部上にそれを通知し、操作者が動作モードを決定する場合の動作処理のフローチャートを図１９に示す。保存同時印刷のジョブを受信すると、蓄積処理及び印刷処理が並行して開始される（ステップＳ８０）。保存同時印刷中に、利用可能な記憶部（不揮発性メモリ）４の残り容量が０になってしまうと（ステップＳ８１／Ｙｅｓ）、それまで蓄積していた文書データを破棄し（ステップＳ８２）、容量が無く蓄積できないことを操作者に通知し（ステップＳ８３）、動作モードの入力を受け付ける（ステップＳ８４）。その際、動作モードが「印刷実行モード」であれば、指定部数分全て印刷する（ステップＳ８８）。動作モードが「一部のみ印刷モード」であれば、印刷中だった部のみ印刷し、残りの部は印刷しない（ステップＳ８６）。動作モードが「印刷中止モード」であれば、印刷もその場で中断する（ステップＳ９０）。印刷が行われたかどうかに従って、エラーとして「蓄積はされなかったが、印刷は最後まで実行されたこと」（ステップＳ８９）、「蓄積はされず、印刷も途中で中断されたこと」（ステップＳ８７、９１）を操作者に通知し、終了する。
【００６８】
上記実施形態により、保存同時印刷中に記憶部（保存用の不揮発性メモリ）４の空き容量が不足した場合の挙動をユーザが設定できる。そのため、操作者は、印刷は最後まで実行するよう設定すれば、蓄積はできずとも所望の出力をえることができるようになる。印刷中の部のみ印刷するよう設定すれば、半端な出力を手にすることなく紙資源を節約できる。その場で印刷を中止するよう設定すれば、さらに多くの紙資源を節約出来るようになる。
【００６９】
以上、本発明者によってなされた発明を好適な実施の形態に基づき具体的に説明したが、本発明は上記のものに限定されるものではなく、その要旨を逸脱しない範囲で種種変更可能であることは言うまでもない。
【図面の簡単な説明】
【００７０】
【図１】本発明の各実施形態に係る画像形成装置の構成を全てまとめたブロック構成図である。
【図２】本発明の実施形態に係る画像形成装置が、情報処理装置と接続されている状態を示す図である。
【図３】本発明の実施形態に係るエラーを通知する際のオペレーションパネルに表示される一例の画面遷移図である。
【図４】本発明の実施形態に係るエラーを通知する際の画面形成装置からホストＰＣへのデータの流れを示す図である。
【図５】本発明の実施形態に係る画像形成装置の動作処理を示すフローチャートである。
【図６】本発明の実施形態に係る画像形成装置の動作処理を示すフローチャートである。
【図７】本発明の実施形態に係る印刷データに動作モードを付与した場合のジョブ送信の図である。
【図８】本発明の実施形態に係る画像形成装置の動作処理を示すフローチャートである。
【図９】本発明の実施形態に係る画像形成装置の動作処理を示すフローチャートである。
【図１０】本発明の実施形態に係る画像形成装置の動作処理を示すフローチャートである。
【図１１】本発明の実施形態に係る文書蓄積数が最大の時のエラー画面表示である。
【図１２】本発明の実施形態に係る画像形成装置の動作処理を示すフローチャートである。
【図１３】本発明の実施形態に係る画像形成装置の動作処理を示すフローチャートである。
【図１４】本発明の実施形態に係る画像形成装置の動作処理を示すフローチャートである。
【図１５】本発明の実施形態に係る画像形成装置の動作処理を示すフローチャートである。
【図１６】本発明の実施形態に係る画像形成装置の動作処理を示すフローチャートである。
【図１７】本発明の実施形態に係る文書蓄積用記憶部の容量不足時のエラー画面表示である。
【図１８】本発明の実施形態に係る画像形成装置の動作処理を示すフローチャートである。
【図１９】本発明の実施形態に係る画像形成装置の動作処理を示すフローチャートである。
【符号の説明】
【００７１】
２５    ネットワーク２５
１    ネットワークインターフェイス
２    ＣＰＵ
３、４、１２    記憶部
５    文書蓄積状況監視部
６    印刷状況監視部
８    印刷エンジンインターフェイス
９    印刷エンジン
１１    オペレーションパネル
１０    オペレーションパネルインターフェイス１０
１４    記憶媒体
１３    記憶媒体ドライブインターフェイス
１５    電源監視部
１６    文書管理部
１７    メモリ容量監視部
７    内部バス
２０〜２２    印刷要求元コンピュータ
２３、２４、２６    画像形成装置
２７    印刷データ送出元コンピュータ
【図１】
2007168331.tif 000003
【図２】
2007168331.tif 000004
【図３】
2007168331.tif 000005
【図４】
2007168331.tif 000006
【図５】
2007168331.tif 000007
【図６】
2007168331.tif 000008
【図７】
2007168331.tif 000009
【図８】
2007168331.tif 000010
【図９】
2007168331.tif 000011
【図１０】
2007168331.tif 000012
【図１１】
2007168331.tif 000013
【図１２】
2007168331.tif 000014
【図１３】
2007168331.tif 000015
【図１４】
2007168331.tif 000016
【図１５】
2007168331.tif 000017
【図１６】
2007168331.tif 000018
【図１７】
2007168331.tif 000019
【図１８】
2007168331.tif 000020
【図１９】
2007168331.tif 000021